(57)【特許請求の範囲】
【請求項１】
平面視において隣接する浴槽および洗い場床パンと、
室壁パネルと、
前記浴槽に設けられるエプロンと、
前記室壁パネル側に前記浴槽に隣接して設けられ、物品の載置面となる上面を有するカウンターと、を備え、
前記エプロンは、別体の上部材と下部材とに分かれるものであり、前記下部材のうち前記カウンターの下側に位置する部分の上端部は、前記カウンターの下部以下に位置し、
前記下部材が、横方向において分割される二つの分割体を有し、
前記分割体の分割部分が、前記カウンターの洗い場中央側の端縁よりも、前記室壁パネル側に位置していることを特徴とする浴室ユニット。
【発明の詳細な説明】
【技術分野】
【０００１】
本発明は、浴室ユニットに関し、詳しくは、浴槽と洗い場床パンとの間にエプロンが設けられる浴室ユニットに関する。
【背景技術】
【０００２】
従来、浴槽と洗い場床パンとの間にエプロンが設けられる浴室ユニットが知られている。エプロンは、別体の上部材と下部材とに分かれている（例えば特許文献１参照）。
【先行技術文献】
【特許文献】
【０００３】
【特許文献１】特開２００３−１０２６３５号公報
【発明の概要】
【発明が解決しようとする課題】
【０００４】
浴室にカウンターが設けられていると、上部材および下部材が取り外しにくくなるおそれがあった。
【０００５】
本発明は上記従来の問題点に鑑みて発明したものであって、その目的とするところは、カウンターが設けられていても、エプロンが取り外されやすい浴室ユニットを提供することにある。
【課題を解決するための手段】
【０００６】
本発明に係る浴室ユニットは、平面視において隣接する浴槽および洗い場床パンと、室壁パネルと、前記浴槽に設けられるエプロンと、前記室壁パネル側に前記浴槽に隣接して設けられ、物品の載置面となる上面を有するカウンターと、を備え、前記エプロンは、別体の上部材と下部材とに分かれるものであり、前記下部材のうち前記カウンターの下側に位置する部分の上端部は、前記カウンターの下部以下に位置し、前記下部材が、横方向において分割される二つの分割体を有し、前記分割体の分割部分が、前記カウンターの洗い場中央側の端縁よりも、前記室壁パネル側に位置していることを特徴とする。
【発明の効果】
【０００７】
本発明にあっては、カウンターが設けられていても、エプロンが取り外されやすい。
【図面の簡単な説明】
【０００８】
【図１】図１は第一実施形態の浴室ユニットの要部の斜視図である。
【図２】図２は第一実施形態の浴室ユニットの一部を除いた分解斜視図である。
【図３】図３Ａは第一実施形態の浴室ユニットの他例における一部を除いた分解斜視図であり、図３Ｂは第一実施形態の浴室ユニットのさらに他例における一部を除いた分解斜視図である。
【図４】図４は第一実施形態の浴室ユニットの要部の図１とは異なる角度から見た斜視図である。
【図５】図５Ａは第一実施形態のエプロンの下端部を堰部に固定する前の状態を示す要部断面図であり、図５Ｂは第一実施形態のエプロンの下端部を堰部に固定した後の状態を示す要部断面図である。
【図６】図６は第一実施形態の浴室ユニットのさらに他例における要部斜視図である。
【図７】図７は第二実施形態の浴室ユニットの要部の斜視図である。
【図８】図８は第二実施形態の浴室ユニットの要部のカウンターおよびカウンター下部材を除いた斜視図である。
【図９】図９は第三実施形態の浴室ユニットの要部断面図である。
【発明を実施するための形態】
【０００９】
本発明の第一実施形態の浴室ユニットについて、図１ないし図６に基いて説明する。
【００１０】
図１に示すように、浴室ユニット１は、少なくとも、浴槽２と、洗い場床パン３０と、室壁パネル４と、エプロン５と、カウンター６と、を備えるものである。
【００１１】
第一実施形態の浴室ユニット１は、図２に示すように、浴槽床パン３１と、洗い場床パン３０と、室壁パネル４と、天井パネル７と、を有する外殻部を備えており、この外殻部が建物躯体の浴室形成スペースの床に設置される。
【００１２】
第一実施形態では、平面視において、矩形状をした浴槽床パン３１と矩形状をした洗い場床パン３０とが隣接した状態で、建物躯体の床に載置される。浴槽床パン３１と洗い場床パン３０とにより、全体で平面視矩形状をした床部３が形成される。床部３、浴槽床パン３１および洗い場床パン３０は、平面視矩形状が好ましいが、特に形状は限定されない。
【００１３】
第一実施形態では、床部３を構成する浴槽床パン３１および洗い場床パン３０は、高さ調節可能な支持部材を介して、建物躯体の床に載置される。高さ調節可能な支持部材としては、いわゆるアジャスターボルトが好ましいが、特に限定されない。支持部材は、高さ調節可能でなくてもよいし、支持部材が設けられず、浴槽床パン３１および洗い場床パン３０が建物躯体の床に直接載置されてもよい。なお、床部３は、第一実施形態では浴槽床パン３１および洗い場床パン３０により構成されているが、図３Ａに示すように、浴槽設置部３２１および洗い場部３２２を有する一つの全面床パン３２により構成されてもよい。この場合には、全面床パン３２のうちの洗い場部３２２の部分が洗い場床パン３０となる。
【００１４】
図１に示すように、洗い場床パン３０（全面床パン３２の洗い場部３２２である場合を含む）は、一部に排水口３０１が設けられており、床面は排水口３０１に向けて下り勾配を有している。
【００１５】
浴槽２は、浴槽床パン３１に載置される。なお、床部３として全面床パン３２が設けられる場合には、浴槽２は浴槽設置部３２１に載置される。また、浴室ユニット１が浴槽床パン３１を備えない場合には、浴槽２は、図３Ｂに示すように、建物躯体の床に載置される架台３３に載置されるか、建物躯体の床に直接載置される。全面床パン３２および架台３３は、アジャスターボルトのような高さ調節可能な支持部材（図３Ｂ中の符号３３１参照）を介して、建物躯体の床に載置されるのが好ましい。
【００１６】
浴槽２は、図１に示すように、槽側壁および槽底壁を有して上方に開口する本体槽２１と、本体槽２１の上端部から外側に向けて設けられるフランジ２２と、を有するものである。平面視におけるフランジ２２外郭の形状は、概ね矩形状をしているのが好ましいが、特に限定されない。第一実施形態では、洗い場への離接方向（図１中の符号１０）と直交する方向に長い概ね矩形状をし、洗い場に隣接する辺のみ、中央部へ行く程洗い場側に位置する曲線状をなしている。
【００１７】
また、本体槽２１とフランジ２２との区別が明確でなくてもよい。第一実施形態では、本体槽２１とフランジ２２との境界部分が、本体槽２１とフランジ２２とに連続する滑らかな曲線状となっているが、特にこのような形状に限定されない。
【００１８】
浴槽２には、図１に示すように、本体槽２１内の湯や水等（以下、湯水という）を排出する排出口と、給湯器等からの湯水を本体槽２１内に吐出する吐出口２３と、を備えている。排出口の開閉する栓の操作部２４がフランジ２２に設けられている。
【００１９】
第一実施形態では、図１に示すように、浴槽２から洗い場床パン３０にかけて、室壁パネル４が設けられている。すなわち、浴槽２から洗い場床パン３０の離接方向１０に沿って、浴槽２と洗い場床パン３０とに跨って室壁パネル４が設けられる。
【００２０】
第一実施形態では、図２に示すように、室壁パネル４は、平面視矩形状をした床部３の周縁全周に立設されており、通常はこのように床部３の全周に室壁パネル４が設けられる。床パン（浴槽床パン３１および洗い場床パン３０）は、床部３の周縁となる端縁に起立片３４が設けられる。床部３として全面床パン３２が設けられる場合には、全面床パン３２の周縁全周に起立片３４が設けられる。そして、起立片３４に室壁パネル４が載置される。室壁パネル４の一部には、出入口となる開口が形成され、この出入口に扉が設けられる。なお、床部３の周縁全周に室壁パネル４が設けられず、かわりに扉枠等が設けられたり、一部に室壁パネル４等が設けられずに浴室内外が通じていてもよい。
【００２１】
洗い場床パン３０は、図１、図４に示すように、床部３の周縁とならない端縁、すなわち、浴槽床パン３１と隣接する端縁に堰部３５が設けられる。堰部３５により、洗い場床パン３０から浴槽２側に湯や水が流出するのが抑制される。
【００２２】
図２に示すように、室壁パネル４の上端部に、天井パネル７が載置されて、浴室ユニット１の外殻部が形成される。天井パネル７には、一部に、浴室内を照らす照明装置を備えてもよい。また、天井パネル７に開口が設けられ、この開口を介して換気を行う換気装置が設けられてもよい。換気装置としては、換気機能のみならず、浴室内に暖気を吐出する暖房機能や、浴室内に温水ミストを吐出するミスト浴機能等を任意に備えてもよく、これらの機能としては既存の様々なものが適宜適用可能である。
【００２３】
浴槽２の室壁パネル４側の端縁は、図１に示すように、室壁パネル４と直線状の境界部１１にて隣接している。第一実施形態では、浴槽２のフランジ２２の室壁パネル４側の端縁と室壁パネル４とが境界部１１において隣接するように配置され、この間にシール材が設けられている。
【００２４】
浴槽２および洗い場床パン３０は、図１に示すように、平面視において隣接するものである。なお、平面視において、浴槽２のフランジ２２および後述するエプロン５と洗い場床パン３０とが一部において重複してもよい。
【００２５】
図１に示すように、浴槽２にエプロン５が設けられるものである。エプロン５は、上壁部５１と側壁部５２とを有するもので、第一実施形態では側面視略逆Ｌ字状をしたものである。
【００２６】
上壁部５１は、図４に示すように、フランジ２２に隣接して、上方に露出する上面５１０を有するものである。第一実施形態では、上壁部５１は、板面が上方を向いて上面５１０をなす板部材により構成されているが、板部材でなく塊状部材でもよい。上面５１０は、上方を向く平面であることが好ましいが、特に厳密に上方を向かなくてもよく、また、平面でなくてもよい。すなわち、上面５１０全体の平均的な向きが上向きであればよい。
【００２７】
このようなエプロン５の上面５１０により、囲い壁内に浴槽が設置されてなる、従来よく用いられていた在来浴室におけるような、囲い壁の上面のデッキが想起される。
【００２８】
上壁部５１の室壁パネル４側の端縁は、図４に示すように、室壁パネル４と直線状の境界部１２にて隣接している。第一実施形態では、エプロン５の上壁部５１と室壁パネル４とが境界部１２において隣接するように配置され、この間にシール材が設けられている。
【００２９】
上壁部５１は、第一実施形態では、図４に示すように、フランジ２２側の端縁部がフランジ２２の下側に位置するように設けられる。フランジ２２には、洗い場床パン３０側の端縁部の下面側に凹段部２２１が形成されており、この凹段部２２１に上壁部５１が挿入される。上壁部５１のフランジ２２側の端縁部は、フランジ２２と当接してもよいし、フランジ２２と離間してもよい。前記いずれの場合でも上壁部５１とフランジ２２との間にシール材が設けられることが好ましい。
【００３０】
上壁部５１がフランジ２２の凹段部２２１に挿入された状態で、上壁部５１の上面５１０が広く露出するのが好ましい。第一実施形態では、浴槽２と洗い場床パン３０の離接方向１０における上壁部５１の上面５１０の露出部分の長さが、フランジ２２の洗い場側への突出量が大きい中央部で３ｃｍ程度、フランジ２２の洗い場側への突出量が小さい端部近傍で１０ｃｍ程度となっている。上壁部５１の上面５１０の露出部分の前記長さは平均で５〜７ｃｍ程度であるが、前記数値は一例であって限定されるものではなく、またフランジ２２の形状に応じて前記長さも適宜変更可能である。
【００３１】
側壁部５２は、図４に示すように、上壁部５１の洗い場床パン３０側の部分から下方に向けて設けられるものである。第一実施形態では、側壁部５２は、上壁部５１の洗い場床パン３０側の端縁部から洗い場床パン３０にかけて設けられ、板面が洗い場床パン３０側に露出する側面５２０をなす板部材により構成されている。側面５２０は、平面であってもよいし、平面でなくてもよく、特に限定されない。側壁部５２の下端部５２３は、洗い場床パン３０と当接してもよいし、洗い場床パン３０と離間してもよい。さらに、第一実施形態では、側壁部５２の下端部５２３に下横片５３が設けられている。
【００３２】
下横片５３は、図４に示すように、側壁部５２の下端部５２３から浴槽２側に向けて突出するもので、エプロン５が設けられたときに、洗い場床パン３０の堰部３５にかけて位置する。
【００３３】
図５Ａ、図５Ｂに示すように、エプロン５の側壁部５２に、本体槽２１側に突出する突出部５４が設けられている。また、堰部３５には、洗い場側に開口する略Ｃ字状をした受け部３６が設けられている。エプロン５は、上端部を中心として図５Ａに示すように、下端部５２３が洗い場側から本体槽２１側に移動し、図５Ｂに示すように、突出部５４が受け部３６に受けられて固定される。なお、エプロン５の下端部５２３の堰部３５への固定は他の方法によるものであってもよく、限定されない。
【００３４】
第一実施形態では、図４に示すように、エプロン５は、側壁部５２の上下方向中間部で分断されて、上壁部５１および上側の側壁部５２１を有する上部材５０１と、下側の側壁部５２２および下横片５３を有する下部材５０２と、に分かれている。そして、上部材５０１は位置が固定されている。第一実施形態では、上部材５０１を構成する上壁部５１および上側の側壁部５２１の側端部が、ビス等の固着具や嵌合や接着等により、室壁パネル４に固定されているが、同様にしてフランジ２２に固定されてもよい。
【００３５】
下部材５０２は、上部材５０１に対して、着脱自在に設けられる。下部材５０２の上部材５０１への取り付けは、ビス等の固着具によるものや、嵌合等、既存の様々な方法が適宜利用可能であり、限定されない。
【００３６】
室壁パネル４は、図１に示すように、室壁パネル４側に浴槽２に隣接してカウンター６が設けられるものである。すなわち、浴槽２と洗い場床パン３０との離接方向１０と直交する方向に位置する室壁パネル４のうちの少なくとも一方の側の室壁パネル４に、カウンター６が設けられる。
【００３７】
カウンター６は、洗い場の離接方向１０の全長にわたって設けられる必要はないが、全長にわたって設けられてもよい。カウンター６は、少なくとも、離接方向１０における浴槽２に隣接する端縁に設けられる。
【００３８】
第一実施形態では、カウンター６は、室壁パネル４と一体に形成されているが、別体のカウンター６が室壁パネル４に取り付けられてもよい。
【００３９】
カウンター６は、図１に示すように、石鹸等の物品の載置面となる上面６０を有する。カウンター６の上面６０は、上方を向く平面であることが好ましいが、特に厳密に上方を向かなくてもよく、また、平面でなくてもよい。すなわち、上面６０全体の平均的な向きが上向きであればよい。第一実施形態では、カウンター６の上面６０は、平面をなしている（一部に平面でない部分があってもよい）。さらに、カウンター６の上面６０は、室壁パネル４側の端縁から室壁パネル４より離れる側に向けて、角度θが１〜２［ｄｅｇ］の下り傾斜を有している。カウンター６の上面６０が下り傾斜を有することにより、上面６０に湯水等が残り難くなる。なお、カウンター６の上面６０がこのような下り傾斜を有しなくてもよい。
【００４０】
図１に示すように、カウンター６の上面６０の室壁パネル４側の端縁は、室壁パネル４と直線状の境界部１３にて隣接している。第一実施形態では、境界部１３においてカウンター６と室壁パネル４とが一体に連続しているが、カウンター６と室壁パネル４とが別体の場合には、直線状の境界部１３にシール材が設けられてもよい。
【００４１】
カウンター６の上面６０の浴槽２側の端縁６０１および側面は、エプロン５の側壁部５２の側面５２０に隣接している。第一実施形態では、図１に示すように、カウンター６の上面６０の浴槽２側の端縁６０１をはじめ、カウンター６のエッジ部に面取り６２が施されている。そこで、図６に示すように、カウンター６の上面６０の浴槽２側の端縁６０１とエプロン５の側面５２０との間において、端縁６０１に施された面取り６２により形成される凹みにシール材６３が設けられてもよい。このように、シール材６３が設けられることにより、湯水が残って黴が発生するのが抑制される。また、シール材６３が面取り６２が施された凹みに設けられることにより、シール材６３が目立ちにくくなる。なお、カウンター６の上面６０の浴槽２側の端縁６０１にこのようなシール材６３が設けられなくてもよい。
【００４２】
図１に示すように、カウンター６の上面６０の洗い場中央側の部分（好ましくは洗い場中央側の端縁）から垂下されて洗い場中央側を向く前面６１は、所定の上下長さを有している。前記所定の上下長さは、５ｃｍ、６ｃｍ、７ｃｍ、８ｃｍ、９ｃｍ、１０ｃｍ、１５ｃｍ、２０ｃｍ等が挙げられるが、特にこれらの長さに限定されない。また、カウンター６の前面６１の上端部６１２は、エプロン５の上面５１０より、カウンター６の上面６０の下り傾斜により下がる分だけ低い高さとなっている。
【００４３】
カウンター６の浴槽２と反対側の側面は、室壁パネル４と隣接していてもよいし、室壁パネル４と離間していてもよい。
【００４４】
第一実施形態では、図１に示すように、エプロン５の上壁部５１の上面５１０の室壁パネル４側の端縁と、カウンター６の上面６０の室壁パネル４側の端縁６０１とが、直線状に位置している。すなわち、エプロン５の上壁部５１の室壁パネル４側の端縁と室壁パネル４との直線状の境界部１２と、カウンター６の上面６０の室壁パネル４側の端縁と室壁パネル４との直線状の境界部１３とが、同一直線上に位置するものである。なお、直線状というのは、厳密な直線ではなく、見る人が何気なく見た場合に直線と感じる程度の直線度を有するものであればよい。
【００４５】
上記浴室ユニット１では、エプロン５の上面５１０によりデッキが想起されて、在来浴室のような重厚感が得られやすくなる。さらに、エプロン５の上面５１０とカウンター６の上面６０とが一体的に見えやすくなって、エプロン５とカウンター６の一体感が得られやすくなる。
【００４６】
また、第一実施形態ではカウンター６の上面６０が下り傾斜しているため、エプロン５の上面５１０とカウンター６の上面６０とは厳密には同一平面とはならない。しかしながら、第一実施形態では、カウンター６の上面６０のエプロン５の上面５１０に対する傾斜が若干（第一実施形態のように１〜２［ｄｅｇ］程度）で略同一平面であって、上面５１０および上面６０が同一平面に見えやすくなる。これにより、より一層、エプロン５とカウンター６の一体感が得られやすくなる。また、エプロン５の上面５１０とカウンター６の上面６０とが厳密な同一平面であってももちろんよい。
【００４７】
そして、下部材５０２のうちカウンター６の下側に位置する部分の上端部５２４は、カウンター６の前面６１の下端部６１１以下に位置するものである。第一実施形態では、図１に示すように、下部材５０２の上端部５２４がカウンター６の前面６１の下部（第一実施形態では下端部６１１）と略同じ高さとなっている。ここで、略同じ高さというのは、厳密に同じ高さであってももちろんよいが、見る人が何気なく見た場合に直線と感じる程度のずれを許容する。
【００４８】
このように、下部材５０２の上端部５２４が、カウンター６の前面６１の下端部６１１以下に位置することにより、下部材５０２が上部材５０１に対して取り外されるときに、カウンター６が邪魔になりにくい。これにより、下部材５０２が上部材５０１に対して取り外されやすくなる。従って、本体槽２１や配管といった、エプロン５の内側（本体槽２１側）に設けられている部材等の点検が行われやすい。
【００４９】
なお、下部材５０２の上端部５２４が、カウンター６の前面６１の下端部６１１以下に位置しさえすれば、下部材５０２が上部材５０１に対して取り外されやすくなる。しかしながら、下部材５０２の上端部５２４と、カウンター６の前面６１の下端部６１１とが離れる程、見栄えが悪くなる。この観点からは、第一実施形態のように、下部材５０２の上端部５２４が、カウンター６の前面６１の下端部６１１と略同じ高さとなることが好ましいが、下端部６１１に対して所定の範囲内で下方に位置するものでもよい。所定の範囲は、０ｍｍ以上１０ｍｍ以下、または、０ｍｍ以上２０ｍｍ以下、０ｍｍ以上３０ｍｍ以下、０ｍｍ以上５０ｍｍ以下、０ｍｍ以上１００ｍｍ以下、等の範囲が挙げられるが、前記数値に限定されない。
【００５０】
本発明の第二実施形態の浴室ユニットについて、図７、図８に基いて説明する。なお、第二実施形態は第一実施形態と大部分において同じであるため、同じ構成については同符号を付して説明を省略し、主に異なる部分について説明する。
【００５１】
第二実施形態では、第一実施形態において、さらに、図７に示すように、カウンター６の下側に、カウンター下カバー１４が設けられている。カウンター下カバー１４は、ビス等の固着具や嵌合や接着等により、室壁パネル４に固定される。カウンター下カバー１４の内部に、配管等が設けられてもよい。
【００５２】
さらに、図７、図８に示すように、下部材５０２が、左右（横方向）において分割される二つの分割体５２２１および分割体５２２１を有している。カウンター６およびカウンター下カバー１４が位置する側の分割体５２２２は、室壁パネル４か上部材５０１かカウンター６かカウンター下カバー１４のいずれか一つまたは複数に固定されている。そして、もう一方の分割体５２２１は、分割体５２２２および上部材５０１に対して着脱自在に装着される。
【００５３】
これにより、カウンター下カバー１４が設けられた場合でも、カウンター６側の分割体５２２２を取り外す必要がなく、分割体５２２１が取り外されにくくなるのが抑えられる。なお、下部材５０２は、三以上の分割体を備えてもよく、この場合、少なくとも一つの分割体が上部材５０１に対して固定され、少なくとも一つの分割体が着脱自在に装着される。
【００５４】
さらに第二実施形態では、カウンター６の洗い場中央側の端縁よりも、室壁パネル４側に位置している。
【００５５】
これにより、分割体５２２１の分割体５２２２側の端縁がカウンター６によって見えにくくなり、見栄えが悪くなるのが抑えられる。
【００５６】
本発明の第三実施形態の浴室ユニットについて、図９に基いて説明する。なお、第三実施形態は第一実施形態および第二実施形態と大部分において同じであるため、同じ構成については同符号を付して説明を省略し、主に異なる部分について説明する。
【００５７】
第一実施形態（第二実施形態も同様）では、図５に示すように、突出部５４および受け部３６によりエプロン５の下端部が洗い場床パン３０の堰部３５に固定されていた。これに対し第三実施形態では、図９に示すように、エプロン５の下端部が堰部３５の上面に載置され、エプロン５の上面５１０がフランジ２２の下面に位置するように設けられる。そして、フランジ２２と洗い場床パン３０との間にエプロン５が挟み込まれている。
【００５８】
また、エプロン５の下端部には、下壁部５５が本体槽２１側に向けて設けられている。そして、下壁部５５が堰部３５に対して、ビス等の固着具５６によ固定されている。なお、下壁部５５の堰部３５に対する固定は、固着具５６によらず、嵌合等、既存の様々な方法により固定されてもよい。
【００５９】
フランジ２２と洗い場床パン３０との間にエプロン５が挟み込まれることにより、エプロン５のデッキ（上面５１０）にかかる荷重がエプロン５を介して支持されるため、デッキの耐荷重性が向上する。
【００６０】
また、エプロン５に補強部材５７が設けられている。補強部材５７は、エプロン５の上壁部５１の下面と下横片５３の上面とに接触して設けられている。補強部材５７は、ビス等の固着具や嵌合や接着等の既存の様々な方法により、エプロン５に固定される。これにより、エプロン５に強度をもたせることができ、より一層、デッキの耐荷重性が向上する。
【００６１】
本発明の浴室ユニット１は、平面視において隣接する浴槽２および洗い場床パン３０と、室壁パネル４と、を備える。浴室ユニット１は、浴槽２に設けられるエプロン５と、室壁パネル４側に浴槽２に隣接して設けられ、物品の載置面となる上面５１０を有するカウンター６と、を備える。エプロン５は、別体の上部材５０１と下部材５０２とに分かれるものであり、下部材５０２のうちカウンター６の下側に位置する部分の上端部５２４は、カウンター６の下部以下に位置することを特徴とする。これにより、下部材５０２が上部材５０１に対して取り外されるときに、カウンター６が邪魔になりにくい。
【００６２】
また、下部材５０２が、横方向において分割される二つの分割体５２２１、５２２２を有することが好ましい。これによりカウンター下カバー１４が設けられた場合でも、カウンター６側の分割体５２２２を取り外す必要がなく、分割体５２２１が取り外されにくくなるのが抑えられる。
【００６３】
また、分割体５２２１、５２２２の分割部分が、カウンター６の洗い場中央側の端縁よりも、室壁パネル４側に位置していることが好ましい。これにより分割体５２２１の分割体５２２２側の端縁がカウンター６によって見えにくくなり、見栄えが悪くなるのが抑えられる。
【符号の説明】
【００６４】
１    浴室ユニット
２    浴槽
３０  洗い場床パン
４    室壁パネル
５    エプロン
５０１  上部材
５０２  下部材
５１０  上面
５２４  上端部
６    カウンター
６１  前面
６１１  下端部
【図１】
0006528319.tif 000002
【図２】
0006528319.tif 000003
【図３】
0006528319.tif 000004
【図４】
0006528319.tif 000005
【図５】
0006528319.tif 000006
【図６】
0006528319.tif 000007
【図７】
0006528319.tif 000008
【図８】
0006528319.tif 000009
【図９】
0006528319.tif 000010